(57)【要約】【課題】商用電源の電圧によらず共通に利用することのできる電力制御装置および画像形成装置を提供する。【解決手段】商用電源から電力供給される第１ＡＣ入力部１と、商用電源から電力供給される第２ＡＣ入力部２と、第１ＡＣ入力部１に接続された第１負荷回路１８，１９と、第２ＡＣ入力手段に接続された第２負荷回路２１，２８と、第２ＡＣ入力部１と第１負荷回路１８，１９とを接続すべく、第２ＡＣ入力部１に接続して形成された第１接続端子３ａと、第２ＡＣ入力部２と第１負荷回路１８，１９とを接続すべく、第１負荷回路１８，１９に接続して形成された第２接続端子３ｂとを備えた。【選択図】        図１
2008070639.tif 000002
【特許請求の範囲】
【請求項１】
商用電源から電力供給される第１ＡＣ入力手段と、
商用電源から電力供給される第２ＡＣ入力手段と、
前記第１ＡＣ入力手段に接続された第１負荷回路と、
前記第２ＡＣ入力手段に接続された第２負荷回路と、
前記第２ＡＣ入力手段と前記第１負荷回路とを接続すべく、前記第２ＡＣ入力手段に接続して形成された第１接続端子と、
前記第２ＡＣ入力手段と前記第１負荷回路とを接続すべく、前記第１負荷回路に接続して形成された第２接続端子と
を備えたことを特徴とする電力制御装置。
【請求項２】
商用電源から電力供給される第１ＡＣ入力手段と、
商用電源から電力供給される第２ＡＣ入力手段と、
第１領域と、第２領域と、前記第１領域および前記第２領域に比べて幅狭に形成され、かつ前記第１領域と前記第２領域の間に形成された第３領域とを有するプリント配線基板と、
前記第１領域上に導箔パターンで形成され、前記第１ＡＣ入力手段に接続された第１負荷回路と、
前記第２領域上に導箔パターンで形成され、前記第２ＡＣ入力手段に接続された第２負荷回路と、
前記第３領域上に導箔パターンで形成され、前記第２ＡＣ入力手段と前記第１負荷回路とを接続する接続回路と、
前記第３領域に形成され、前記接続回路を切断すべく形成された切り欠き手段と
を備えたことを特徴とする電力制御装置。
【請求項３】
前記第３領域の前記接続回路の導箔パターンは、前記接続回路に所定の電流値以上の電流が流れた場合に溶解する幅に形成されていることを特徴とする請求項２に記載の電力制御装置。
【請求項４】
第１の導体板と、
前記第１の導体板と離間して設けられた第２の導体板と、
前記第１ＡＣ入力手段と前記第１の導体板とを接続する第１接続配線と、
前記第１負荷回路と前記第１の導体板とを接続する第２接続配線と、
前記第２ＡＣ入力手段と前記第２の導体板とを接続する第３接続配線と、
前記第２負荷回路と前記第２の導体板とを接続する第４接続配線と、
前記第１の導体板と前記第２の導体板とを接続すべく、前記第１の導体板に形成された第１接続端子と、
前記第１の導体板と前記第２の導体板とを接続すべく、前記第２の導体板に形成された第２接続端子と
をさらに備えたことを特徴とする請求項３に記載の電力制御装置。
【請求項５】
前記第１ＡＣ入力手段と前記第１負荷回路の間に、電圧変換手段をさらに備えたことを特徴とする請求項１から４のいずれか一項に記載の電力制御装置。
【請求項６】
商用電源から電力供給される第１ＡＣ入力手段と、
商用電源から電力供給される第２ＡＣ入力手段と、
第１負荷手段と、
前記第１負荷手段の接続先を前記第１ＡＣ入力手段と前記第２ＡＣ入力手段の間で切り替える切替手段と、
前記第２ＡＣ入力手段に接続された第２負荷回路と
を備えたことを特徴とする電力制御装置。
【請求項７】
前記商用電源の電圧を検出する電圧検出手段と、
前記電圧検出手段による検出結果にしたがい、前記第１負荷手段の接続先として前記第１ＡＣ入力手段および前記第２ＡＣ入力手段のいずれか一方を指定する切替制御手段と
をさらに備え、
前記切替手段は、前記切替制御手段により指定された接続先と前記第１負荷手段とを接続することを特徴とする請求項６に記載の電力制御装置。
【請求項８】
商用電源から電力供給される第１ＡＣ入力手段と、
商用電源から電力供給される第２ＡＣ入力手段と、
第１負荷手段と、
前記第１負荷手段に接続して形成された第１接続手段と、
前記第１接続手段と接続可能に、前記第１ＡＣ入力手段に接続して形成された第２接続手段と、
前記第１接続手段と接続可能に、前記第２ＡＣ入力手段に接続して形成された第３接続手段と、
前記第２ＡＣ入力手段に接続された第２負荷手段と
を備えたことを特徴とする電力制御装置。
【請求項９】
前記第１接続手段、前記第２接続手段および前記第３接続手段は、ヘッダーであることを特徴とする請求項８に記載の電力制御装置。
【請求項１０】
前記第１ＡＣ入力手段および前記第２ＡＣ入力手段は、インレットであることを特徴とする請求項８または９に記載の電力制御装置。
【請求項１１】
商用電源から電力供給される第１ＡＣ入力手段と、
商用電源から電力供給される第２ＡＣ入力手段と、
前記第１ＡＣ入力手段に接続された第１負荷回路と、
前記第２ＡＣ入力手段に接続された第２負荷回路と、
前記第２ＡＣ入力手段と前記第１負荷回路とを接続すべく、前記第２ＡＣ入力手段に接続して形成された第１接続端子と、
前記第２ＡＣ入力手段と前記第１負荷回路とを接続すべく、前記第１負荷回路に接続して形成された第２接続端子と
を備えたことを特徴とする画像形成装置。
【請求項１２】
前記第１負荷回路は、定着ヒータであって、
前記定着ヒータの温度に応じて開閉するサーモスタットと、
前記サーモスタットの開閉にしたがい前記第１ＡＣ入力手段と前記第１負荷回路の間を開閉する第１開閉回路と、
前記サーモスタットの開閉にしたがい前記第２ＡＣ入力手段と前記第２負荷回路の間を開閉する第２開閉回路と
をさらに備えたことを特徴とする請求項１１に記載の画像形成装置。
【請求項１３】
前記定着ヒータの収容された筐体のドアーの開閉を検知するインターロックスイッチと、
前記インターロックスイッチの開閉にしたがい前記第１ＡＣ入力手段と前記第１負荷回路の間を開閉する第１開閉回路と、
前記インターロックスイッチの開閉にしたがい前記第２ＡＣ入力手段と前記第２負荷回路の間を開閉する第２開閉回路と
をさらに備えたことを特徴とする請求項１１または１２に記載の画像形成装置。
【請求項１４】
商用電源から電力供給される第１ＡＣ入力手段と、
商用電源から電力供給される第２ＡＣ入力手段と、
第１負荷手段と、
前記第１負荷手段の接続先を前記第１ＡＣ入力手段と前記第２ＡＣ入力手段の間で切り替える切替手段と、
前記第２ＡＣ入力手段に接続された第２負荷回路と
を備えたことを特徴とする画像形成装置。
【請求項１５】
商用電源から電力供給される第１ＡＣ入力手段と、
商用電源から電力供給される第２ＡＣ入力手段と、
第１負荷手段と、
前記第１負荷手段に接続して形成された第１接続手段と、
前記第１接続手段と接続可能に、前記第１ＡＣ入力手段に接続して形成された第２接続手段と、
前記第１接続手段と接続可能に、前記第２ＡＣ入力手段に接続して形成された第３接続手段と、
前記第２ＡＣ入力手段に接続された第２負荷手段と
を備えたことを特徴とする画像形成装置。
【発明の詳細な説明】
【技術分野】
【０００１】
本発明は、各負荷回路に電力を供給する電力制御装置および画像形成装置に関するものである。
【背景技術】
【０００２】
近年、画像形成装置の高速化への要求が高まっている。この高機能化に伴う画像形成装置の大型化とともに電力消費量も増加している。特に、トナー画像が形成された紙やフィルムなどの被加熱体を加圧及び加熱するヒートローラー方式の定着装置を有した画像形成装置の場合には多くの電力を必要とする。さらに、カラー化や高精度化の要素が加わると、高圧負荷、モータ負荷、電気回路負荷等が増大する。これにより、電力消費がさらに増加する。
【０００３】
周知のように、日本国内では最も一般的な商用１００Ｖ交流配線のコンセントからＡＣ入力を１本の電源コードでとる場合は、電流は１５Ａ以内に制限されている。２００Ｖに対応させることも可能であるが、この場合には、設置場所の電源関連に特別な工事を施す必要がある。これは、装置の置き換えの弊害となる。
【０００４】
このような問題を解決するものとして、第１電源コードと、第２電源コードの２本の電源コードを有する画像形成装置が知られている（例えば、「特許文献１」参照）。この画像装置においては、２つの電源コードから電力が供給される定着ヒーター１と定着ヒーター２を設け、第１電源コードから定着ヒーター２に電力供給するリレー１と、第２電源コードから定着ヒーター２に電力供給するリレー２を設けている。そして、画像形成装置の各動作モードにより、このリレー１，２のＯＮ／ＯＦＦを制御することにより、１本の電源コードからの入力が１５Ａ以下になるようにしている。
【０００５】
また、第１のＡＣ端子と、第の２ＡＣ端子を設け、この第１のＡＣ端子１からは、ドラムヒーター、カセットヒーターのＡＣ負荷に電力供給し、第２のＡＣ端子から定着ヒーターに電力供給することにより、１本の電源コードからの入力が１５Ａ以下とする画像形成装置も知られている（例えば、「特許文献２」参照）。
【０００６】
【特許文献１】特開２００３−３２３０８５号公報
【特許文献２】特開２００５−１２１６８１号公報
【発明の開示】
【発明が解決しようとする課題】
【０００７】
しかしながら、日本においては、商用電源は１００Ｖであるが、北米の商用電源は１１５Ｖ、欧州の商用電源は２００Ｖである。また、日本国内においても、工場、ビル、オフィースなど２００Ｖ商用電源を有しているところもある。１００Ｖ２０Ａ電源では２本の電源コードからの電力供給を必要とする画像形成装置であっても、２００Ｖ商用電源であれば１本の電源コードからの電力で電力量は充足する。
【０００８】
このような、商用電源の電圧の違いに応じて、１００Ｖ電源対応、すなわち電源コードが２本の画像形成装置と、２００Ｖ電源対応、すなわち電源コードが１本の画像形成装置とを作り分けることとすると、部品の増加、製造コスト、管理コストの上昇などの問題がある。
【０００９】
本発明は、上記に鑑みてなされたものであって、商用電源の電圧によらず共通に利用することのできる電力制御装置および画像形成装置を提供することを目的とする。
【課題を解決するための手段】
【００１０】
上述した課題を解決し、目的を達成するために、請求項１にかかる発明は、電力制御装置であって、商用電源から電力供給される第１ＡＣ入力手段と、商用電源から電力供給される第２ＡＣ入力手段と、前記第１ＡＣ入力手段に接続された第１負荷回路と、前記第２ＡＣ入力手段に接続された第２負荷回路と、前記第２ＡＣ入力手段と前記第１負荷回路とを接続すべく、前記第２ＡＣ入力手段に接続して形成された第１接続端子と、前記第２ＡＣ入力手段と前記第１負荷回路とを接続すべく、前記第１負荷回路に接続して形成された第２接続端子とを備えたことを特徴とする。
【００１１】
また、請求項２にかかる発明は、電力制御装置であって、商用電源から電力供給される第１ＡＣ入力手段と、商用電源から電力供給される第２ＡＣ入力手段と、第１領域と、第２領域と、前記第１領域および前記第２領域に比べて幅狭に形成され、かつ前記第１領域と前記第２領域の間に形成された第３領域とを有するプリント配線基板と、前記第１領域上に導箔パターンで形成され、前記第１ＡＣ入力手段に接続された第１負荷回路と、前記第２領域上に導箔パターンで形成され、前記第２ＡＣ入力手段に接続された第２負荷回路と、前記第３領域上に導箔パターンで形成され、前記第２ＡＣ入力手段と前記第１負荷回路とを接続する接続回路と、前記第３領域に形成され、前記接続回路を切断すべく形成された切り欠き手段とを備えたことを特徴とする。
【００１２】
また、請求項３にかかる発明は、請求項２に記載の電力制御装置であって、前記第３領域の前記接続回路の導箔パターンは、前記接続回路に所定の電流値以上の電流が流れた場合に溶解する幅に形成されていることを特徴とする。
【００１３】
また、請求項４にかかる発明は、請求項３に記載の電力制御装置であって、第１の導体板と、前記第１の導体板と離間して設けられた第２の導体板と、前記第１ＡＣ入力手段と前記第１の導体板とを接続する第１接続配線と、前記第１負荷回路と前記第１の導体板とを接続する第２接続配線と、前記第２ＡＣ入力手段と前記第２の導体板とを接続する第３接続配線と、前記第２負荷回路と前記第２の導体板とを接続する第４接続配線と、前記第１の導体板と前記第２の導体板とを接続すべく、前記第１の導体板に形成された第１接続端子と、前記第１の導体板と前記第２の導体板とを接続すべく、前記第２の導体板に形成された第２接続端子とをさらに備えたことを特徴とする。
【００１４】
また、請求項５にかかる発明は、請求項１から４のいずれか一項に記載の電力制御装置であって、前記第１ＡＣ入力手段と前記第１負荷回路の間に、電圧変換手段をさらに備えたことを特徴とする。
【００１５】
また、請求項６にかかる発明は、電力制御装置であって、商用電源から電力供給される第１ＡＣ入力手段と、商用電源から電力供給される第２ＡＣ入力手段と、第１負荷手段と、前記第１負荷手段の接続先を前記第１ＡＣ入力手段と前記第２ＡＣ入力手段の間で切り替える切替手段と、前記第２ＡＣ入力手段に接続された第２負荷回路とを備えたことを特徴とする。
【００１６】
また、請求項７にかかる発明は、請求項６に記載の電力制御装置であって、前記商用電源の電圧を検出する電圧検出手段と、前記電圧検出手段による検出結果にしたがい、前記第１負荷手段の接続先として前記第１ＡＣ入力手段および前記第２ＡＣ入力手段のいずれか一方を指定する切替制御手段とをさらに備え、前記切替手段は、前記切替制御手段により指定された接続先と前記第１負荷手段とを接続することを特徴とする。
【００１７】
また、請求項８にかかる発明は、電力制御装置であって、商用電源から電力供給される第１ＡＣ入力手段と、商用電源から電力供給される第２ＡＣ入力手段と、第１負荷手段と、前記第１負荷手段に接続して形成された第１接続手段と、前記第１接続手段と接続可能に、前記第１ＡＣ入力手段に接続して形成された第２接続手段と、前記第１接続手段と接続可能に、前記第２ＡＣ入力手段に接続して形成された第３接続手段と、前記第２ＡＣ入力手段に接続された第２負荷手段とを備えたことを特徴とする。
【００１８】
また、請求項９にかかる発明は、請求項８に記載の電力制御装置であって、前記第１接続手段、前記第２接続手段および前記第３接続手段は、ヘッダーであることを特徴とする。
【００１９】
また、請求項１０にかかる発明は、請求項８または９に記載の電力制御装置であって、前記第１ＡＣ入力手段および前記第２ＡＣ入力手段は、インレットであることを特徴とする。
【００２０】
また、請求項１１にかかる発明は、画像形成装置であって、商用電源から電力供給される第１ＡＣ入力手段と、商用電源から電力供給される第２ＡＣ入力手段と、前記第１ＡＣ入力手段に接続された第１負荷回路と、前記第２ＡＣ入力手段に接続された第２負荷回路と、前記第２ＡＣ入力手段と前記第１負荷回路とを接続すべく、前記第２ＡＣ入力手段に接続して形成された第１接続端子と、前記第２ＡＣ入力手段と前記第１負荷回路とを接続すべく、前記第１負荷回路に接続して形成された第２接続端子とを備えたことを特徴とする。
【００２１】
また、請求項１２にかかる発明は、請求項１１に記載の画像形成装置であって、前記第１負荷回路は、定着ヒータであって、前記定着ヒータの温度に応じて開閉するサーモスタットと、前記サーモスタットの開閉にしたがい前記第１ＡＣ入力手段と前記第１負荷回路の間を開閉する第１開閉回路と、前記サーモスタットの開閉にしたがい前記第２ＡＣ入力手段と前記第２負荷回路の間を開閉する第２開閉回路とをさらに備えた。
【００２２】
また、請求項１３にかかる発明は、請求項１１または１２に記載の画像形成装置であって、前記定着ヒータの収容された筐体のドアーの開閉を検知するインターロックスイッチと、前記インターロックスイッチの開閉にしたがい前記第１ＡＣ入力手段と前記第１負荷回路の間を開閉する第１開閉回路と、前記インターロックスイッチの開閉にしたがい前記第２ＡＣ入力手段と前記第２負荷回路の間を開閉する第２開閉回路とをさらに備えたことを特徴とする。
【００２３】
また、請求項１４にかかる発明は、画像形成装置であって、商用電源から電力供給される第１ＡＣ入力手段と、商用電源から電力供給される第２ＡＣ入力手段と、第１負荷手段と、前記第１負荷手段の接続先を前記第１ＡＣ入力手段と前記第２ＡＣ入力手段の間で切り替える切替手段と、前記第２ＡＣ入力手段に接続された第２負荷回路とを備えたことを特徴とする。
【００２４】
また、請求項１５にかかる発明は、画像形成装置であって、商用電源から電力供給される第１ＡＣ入力手段と、商用電源から電力供給される第２ＡＣ入力手段と、第１負荷手段と、前記第１負荷手段に接続して形成された第１接続手段と、前記第１接続手段と接続可能に、前記第１ＡＣ入力手段に接続して形成された第２接続手段と、前記第１接続手段と接続可能に、前記第２ＡＣ入力手段に接続して形成された第３接続手段と、前記第２ＡＣ入力手段に接続された第２負荷手段とを備えたことを特徴とする。
【発明の効果】
【００２５】
請求項１にかかる発明によれば、第１ＡＣ入力手段に接続された第１負荷回路と、第２ＡＣ入力手段に接続された第２負荷回路と、第２ＡＣ入力手段と第１負荷回路とを接続すべく、第２ＡＣ入力手段に接続して形成された第１接続端子と、第２ＡＣ入力手段と第１負荷回路とを接続すべく、第１負荷回路に接続して形成された第２接続端子とを備えたので、商用電源の電圧によらず共通に利用することができるという効果を奏する。
【００２６】
また、請求項２にかかる発明によれば、第１領域と、第２領域と、第１領域および第２領域に比べて幅狭に形成され、かつ第１領域と第２領域の間に形成された第３領域とを有するプリント配線基板において、第１領域上に導箔パターンで形成され、第１ＡＣ入力手段に接続された第１負荷回路と、第２領域上に導箔パターンで形成され、第２ＡＣ入力手段に接続された第２負荷回路と、第３領域上に導箔パターンで形成され、第２ＡＣ入力手段と第１負荷回路とを接続する接続回路と、第３領域に形成され、接続回路を切断すべく形成された切り欠き手段とが設けられているので、商用電源の電圧によらず共通に利用することができるという効果を奏する。
【００２７】
また、請求項３にかかる発明によれば、第３領域の接続回路の導箔パターンは、接続回路に所定の電流値以上の電流が流れた場合に溶解する幅に形成されているので、仮に切り欠き部が切断されないまま２つのＡＣ入力手段から電力が供給された場合であっても、直ちに切り欠き部の導箔パターンが溶解し、短絡の影響を最小限に留めることができる。
【００２８】
また、請求項４にかかる発明によれば、第１ＡＣ入力手段と第１の導体板とを接続する第１接続配線と、第１負荷回路と第１の導体板とを接続する第２接続配線と、第２ＡＣ入力手段と第２の導体板とを接続する第３接続配線と、第２負荷回路と第２の導体板とを接続する第４接続配線と、第１の導体板と第２の導体板とを接続すべく、第１の導体板に形成された第１接続端子と、第１の導体板と第２の導体板とを接続すべく、第２の導体板に形成された第２接続端子とを備えているので、コモンモードノイズを低減することができるという効果を奏する。
【００２９】
また、請求項５にかかる発明によれば、第１ＡＣ入力手段と第１負荷回路の間に、電圧変換手段をさらに備えたので、商用電源の電圧によらず共通に利用することができるという効果を奏する。
【００３０】
また、請求項６にかかる発明によれば、第１負荷手段の接続先を第１ＡＣ入力手段と第２ＡＣ入力手段の間で切り替える切替手段と、第２ＡＣ入力手段に接続された第２負荷回路とを備えたので、商用電源の電圧によらず共通に利用することができるという効果を奏する。
【００３１】
また、請求項７にかかる発明によれば、商用電源の電圧を検出する電圧検出手段と、電圧検出手段による検出結果にしたがい、第１負荷手段の接続先として第１ＡＣ入力手段および第２ＡＣ入力手段のいずれか一方を指定する切替制御手段とを備えたので、自動的に切替を行うことができるという効果を奏する。
【００３２】
また、請求項８にかかる発明によれば、第１負荷手段に接続して形成された第１接続手段と、第１接続手段と接続可能に、第１ＡＣ入力手段に接続して形成された第２接続手段と、第１接続手段と接続可能に、第２ＡＣ入力手段に接続して形成された第３接続手段と、第２ＡＣ入力手段に接続された第２負荷手段とを備えたので、商用電源の電圧によらず共通に利用することができるという効果を奏する。
【００３３】
また、請求項９にかかる発明によれば、第１接続手段、第２接続手段および第３接続手段は、ヘッダーであるので、取り外し作業を容易にすることができるという効果を奏する。
【００３４】
また、請求項１０にかかる発明によれば、第１ＡＣ入力手段および第２ＡＣ入力手段は、インレットであるので、電源コードの取り外しを容易にすることができるという効果を奏する。
【００３５】
また、請求項１１にかかる発明によれば、第１ＡＣ入力手段に接続された第１負荷回路と、第２ＡＣ入力手段に接続された第２負荷回路と、第２ＡＣ入力手段と第１負荷回路とを接続すべく、第２ＡＣ入力手段に接続して形成された第１接続端子と、第２ＡＣ入力手段と第１負荷回路とを接続すべく、第１負荷回路に接続して形成された第２接続端子とを備えたので、商用電源の電圧によらず共通に利用することができるという効果を奏する。
【００３６】
また、請求項１２にかかる発明によれば、第１負荷回路は、定着ヒータであって、定着ヒータの温度に応じて開閉するサーモスタットと、サーモスタットの開閉にしたがい第１ＡＣ入力手段と第１負荷回路の間を開閉する第１開閉回路と、サーモスタットの開閉にしたがい第２ＡＣ入力手段と第２負荷回路の間を開閉する第２開閉回路とを備えているので、安全回路を共通化することができ、製造コストを低減することができるという効果を奏する。
【００３７】
また、請求項１３にかかる発明によれば、定着ヒータの収容された筐体のドアーの開閉を検知するインターロックスイッチと、インターロックスイッチの開閉にしたがい第１ＡＣ入力手段と第１負荷回路の間を開閉する第１開閉回路と、インターロックスイッチの開閉にしたがい第２ＡＣ入力手段と第２負荷回路の間を開閉する第２開閉回路と備えているので、安全回路を共通化することができ、製造コストを低減することができるという効果を奏する。
【００３８】
また、請求項１４にかかる発明によれば、第１負荷手段の接続先を第１ＡＣ入力手段と第２ＡＣ入力手段の間で切り替える切替手段と、第２ＡＣ入力手段に接続された第２負荷回路とを備えので、商用電源の電圧によらず共通に利用することができるという効果を奏する。
【００３９】
また、請求項１５にかかる発明によれば、第１負荷手段に接続して形成された第１接続手段と、第１接続手段と接続可能に、第１ＡＣ入力手段に接続して形成された第２接続手段と、第１接続手段と接続可能に、第２ＡＣ入力手段に接続して形成された第３接続手段と、第２ＡＣ入力手段に接続された第２負荷手段とを備えたので、商用電源の電圧によらず共通に利用することができるという効果を奏する。
【発明を実施するための最良の形態】
【００４０】
以下に添付図面を参照して、この発明にかかる電力制御装置および画像形成装置の最良な実施の形態を詳細に説明する。
【００４１】
（第１の実施の形態）
図１は、本発明の第１の実施の形態にかかる画像形成装置におけるＡＣ電力制御回路１００を示す図である。ＡＣ電力制御回路１００は、ＡＣ電源コードを２本有している。すなわち、第１のＡＣ電源コードの入力部である第１ＡＣ入力部１と、第２のＡＣ電源コードの入力部である第２ＡＣ入力部２とを有している。第１ＡＣ入力部１はノイズフィルター４に接続されている。また、第２ＡＣ入力部２は、ノイズフィルター５、主電源スイッチ１１、ノーマルクローズリレー１０に接続されている。
【００４２】
さらに、第１ＡＣ入力部１とノイズフィルター４の間に接続端子３ａが設けられている。また、第２ＡＣ入力部２と、ノイズフィルター５、主電源スイッチ１１およびノーマルクローズリレー１０の間に接続端子３ｂが設けられている。なお、本実施の形態にかかる接続端子３ａ，３ｂは、それぞれ第１接続端子および第２接続端子に相当する。
【００４３】
接続端子３ａと接続端子３ｂとが接続されることにより、第１ＡＣ入力部１と第２ＡＣ入力部２とが接続される。これにより、接続端子３ａと接続端子３ｂとを接続した場合には、第１ＡＣ入力部１と第２ＡＣ入力部２のいずれか一方のみから各負荷回路に電力を供給することができる。なお、この場合には、図２に示すように電力供給に利用しないＡＣ電源コードを取り除いてもよい。図２に示す例においては、接続端子３ａと接続端子３ｂとは電線３００ａ，３００ｂにより接続され、第１ＡＣ入力部１は取り除かれている。
【００４４】
再び説明を図１に戻す。ＡＣ電力制御回路１００においては、第１ＡＣ入力部１および第２ＡＣ入力部２の両方から電力を供給することもできる。この場合には、接続端子３ａと接続端子３ｂとの接続を行わなければよい。このように、接続端子３ａと接続端子３ｂを設けることにより、接続端子３ａと接続端子３ｂの接続の有無を各装置の管理者により設定することができる。
【００４５】
上述のように、接続端子３ａと接続端子３ｂとを接続しなければ、第１ＡＣ入力部１および第２ＡＣ入力部２から電力を供給することができるので、日本国内のように商用電源が１００Ｖと低い場合には、２つの電源から供給される電力を利用して装置を動作させることができる。
【００４６】
一方、欧州においては、商用電源は２２０Ｖであり、１つの商用電源からの電力供給で装置を動作させることができる。この場合には、接続端子３ａと接続端子３ｂとを接続させ、第１ＡＣ入力部１および第２ＡＣ入力部２のいずれか一方のみを利用することができる。なお、この場合には安全上の観点からは、上述のように第１ＡＣ入力部１および第２ＡＣ入力部２のうち利用しない入力部は取り外しておくことが望ましい。
【００４７】
以上のように、接続端子３ａ，３ｂを備えることにより、商用電源の電圧の違いや、装置の仕向け地に応じて１本電源コード用のＡＣ入力部と２本電源コード用のＡＣ入力部とを作り替える必要がなくなる。これにより、作り替えにかかる部品の増加、製造および管理にかかるコストアップなどの問題を解消することができる。
【００４８】
さらに、上述のように、装置の管理者は、商用電源等に応じて接続端子３ａと接続端子３ｂの接続の有無の設定を行えばよく、設定操作の簡略化を図ることができる。
【００４９】
以下、ＡＣ電力制御回路１００にかかるこれ以外の構成について説明する。ノイズフィルター４は、リレー７およびリレー８に接続されている。加熱中央ヒーター１８および加熱端部ヒーター１９は、サーモスタット１７を介して入力されるリレー７の開閉出力にしたがい制御されている。加熱中央ヒーター１８および加熱端部ヒーター１９は、定着装置の定着ローラ（図示せず）内に設けられており、定着ローラを加熱する。
【００５０】
サーモスタット１７は、バイメタル方式のサーモスタットで、定着装置内に設けられている。定着装置の定着ローラが溶融する温度になると、サーモスタット１７内部のスイッチ部が開放される。なお、本実施の形態においては、サーモスタット１７は、一度スイッチ部が開放されると、温度が低下しても開放を保持し続ける。このサーモスタット１７は、加熱中央ヒーター１８及び加熱端部ヒーター１９に直列に接続されている。したがって、図２に示すように接続端子３ａと接続端子３ｂとが接続されている場合には、第２ＡＣ入力部２から供給された電力の加熱中央ヒーター１８および加熱端部ヒーター１９への供給は遮断される。
【００５１】
リレー８の開閉出力は、電力供給回路２２に接続されている。電力供給回路２２は、２個のフォトトライアック（図示せず）で構成されている。電力供給回路２２は、制御部２６（後述）からの電力供給信号により、加熱中央ヒーター１８および加熱端部ヒーター１９に電力供給を行う。なお、リレー８の励磁コイルには、定電圧電源２５から電力が供給されている。また、制御部２６により開閉回路１２をオンすることにより、電力供給回路２２の電力供給が可能となる。なお、定着温度検出回路２４は、サーミスター２９により加熱中央ヒーター１８および中央端部ヒーター１９等により加熱された定着温度を検出する。制御部２６は、定着温度検出回路２４により検出された定着温度に応じて、電力供給を制御する。
【００５２】
ノイズフィルター４には、ゼロクロス検出回路３１が接続されている。制御部２６は、ゼロクロス検出回路３１の出力により、第１ＡＣ入力部１への商用電源からの電力供給の有無を検出することができる。
【００５３】
一方、第２ＡＣ入力部２に接続されたノーマルクローズリレー１０の開閉回路出力は、除湿ヒーター２８に接続されている。このノーマルクローズリレー１０の励磁コイルには、定電圧電源２５から電力が供給されている。従って、主電源スイッチ１１がオフされている場合に、第２ＡＣ入力部２より除湿ヒーター２８に電力が供給される。なお、制御部２６により開閉回路１４をオフすることにより、除湿ヒーター２８に電力供給が可能な構成にしている。
【００５４】
ノイズフィルター５は２連リレー９に接続されている。２連リレー９の一方は、加圧ヒーター２１に接続されている。なお、加圧ヒーター２１は、定着装置内の加圧ヒータ（図示せず）を加熱する。２連リレー９の他方は、電力供給回路２３に接続されている。電力供給回路２３は、フォトトライアック（図示せず）で構成されている。電力供給回路２３は、制御部２６からの電力供給信号により、加圧ヒーター２１に電力供給を行う。
【００５５】
なお、２連リレー９の励磁コイルには、定電圧電源２５から電力が供給されている。また、制御部２６により開閉回路１３をオンすることにより、電力供給回路２３の電力供給が可能となる。
【００５６】
主電源スイッチ１１の出力側は、ノイズフィイルター６に接続されている。このノイズフィルター６の出力が定電圧を生成する定電圧電源２５に接続されている。定電圧電源２５は、制御部２６、ＤＣ負荷２７、リレー１０、サーモスタット１６等に電源を供給する。従って、主電源が投入され、定電圧電源２５が定電圧を生成すると、第２ＡＣ入力部２に接続された負荷も含めて、正常に動作が可能となる。
【００５７】
なお、ノイズフィルター４、ノイズフィルター６およびノイズフィルター５は、各ノイズフィルターに接続される負荷回路の特性に合ったノイズ低減に適したものである。
【００５８】
本実施の形態にかかるＡＣ電力制御回路１００においては、第１ＡＣ入力部１から電力供給される加熱中央ヒーター１８および加熱端部ヒーター１９の最高電力量はそれぞれ７００Ｗに設定されている。そこで、第２ＡＣ入力部２からは総電力量２０００Ｗから合計の１４００Ｗを引いた残りの６００Ｗの電力を供給可能となる。しかし、常に１４００Ｗを供給するのではなく、定着立ち上げモード時、コピー時、待機時など各動作状態に応じて、第１ＡＣ入力部１から供給される電力および第２ＡＣ入力部２から供給される電力を制御する。具体的には、第１ＡＣ入力部１および第２ＡＣ入力部２それぞれの電流が１５Ａであり、かつ第１ＡＣ入力部１および第２ＡＣ入力部２の総電流が２０Ａを超えないように制御する。なお、以上の処理は、接続端子３ａと接続端子３ｂの接続の有無によらず共通である。
【００５９】
さらに、定着装置の保護回路および安全回路にかかる構成として、定着ヒータの収容された筐体のドアーの開閉を検知するドアースイッチ１５と、サーモスタット１６とを備えている。ドアースイッチ１５およびサーモスタット１６は、定着装置内部に設けられている。ドアースイッチ１５と、サーモスタット１６と、定電圧電源２５とは、直接に接続されている。
【００６０】
リレー７、リレー８、２連リレー９の励磁コイルは、サーモスタット１６およびドアースイッチ１５を介して供給される電力により通電される。したがって、ドアースイッチ１５が開放された場合や、定着装置の温度上昇によりサーモスタット１６の内部スイッチが開放された場合には、加熱中央ヒーター１８、加熱端部ヒーター１９、加圧ヒーター２１への電力供給は停止される。また、リレー７、リレー８の励磁コイルに供給される電力を開閉回路１２、２連リレー９の励磁コイルに供給される電力を開閉回路１３により遮断することにより安全の向上を図っている。
【００６１】
図３は、制御部２６に設けられたＣＰＵ２６ａの動作の詳細を説明するための図である。ＣＰＵ２６ａのＡ／Ｄコンバーター２６ｃには、定着温度検出回路２４の温度検出信号が入力される。ＩＮＴ（割り込み端子）２６ｂには、ゼロクロス検出回路３１のゼロクロス信号が入力される。Ｉ／Ｏポート２６ｆには、ドアーオープンまたはサーモスタットの開放を検知する信号が入力される。
【００６２】
Ｉ／Ｏポート２６ｄ，２６ｅは、電力供給回路２２のホトトライアックをＯＮ／ＯＦＦ制御する信号を出力する。Ｉ／Ｏポート２６ｉは、電力供給回路２３のホトトライアックをＯＮ／ＯＦＦ制御する信号を出力する。Ｉ／Ｏポート２６ｊは、リレー７，８の励磁コイルの通電を開閉する開閉回路１２を制御する信号を出力する。Ｉ／Ｏポート２６ｇは、２連リレー９の励磁コイルの通電を開閉する開閉回路１３を制御する信号を出力する。Ｉ／Ｏポート２６ｈは、リレー１０の励磁コイルの通電を開閉する開閉回路１４を制御する信号を出力する。
【００６３】
ＣＰＵ２６ａは、定着温度検出回路２４の出力をＡ／Ｄコンバーター２６ｃで温度検出し、この検出した温度に基づいて、ゼロクロス信号の割り込み信号を基準として、定着ヒーター１８，１９，２１に電力供給する通電位相角を決定する。そして、Ｉ／Ｏポート２６ｄ，２６ｅ，２６ｉより電力供給回路２２および電力供給回路２３の各ホトトライアックをオンする信号を出力する。定着温度が予め設定された温度になると、電力供給回路２２および電力供給回路２３の各ホトトライアックをオフする信号を出力する。
【００６４】
ＣＰＵ２６ａは、ゼロクロス信号、ドアーオープンまたはサーモスタットの開放を検知する信号がＩ／Ｏポート２６ｆに入力された場合、Ｉ／Ｏポート２６ｇ，２６ｊより、開閉回路１２，１３を開放する信号を出力する。さらに、電力供給回路２２、電力供給回路２３の各ホトトライアックをＯＦＦする信号を出力する。他のＡＣ電力系の異常を検知した場合も同様である。
【００６５】
以上、本発明を実施の形態を用いて説明したが、上記実施の形態に多様な変更または改良を加えることができる。
【００６６】
図４は、第１の変更例にかかるＡＣ電力制御回路１０２を示す図である。ＡＣ電力制御回路１０２は、実施の形態１にかかるＡＣ電力制御回路１００の構成に加えて、さらに加熱全幅ヒーター２０を備えている。加熱全幅ヒーター２０は、他の加熱ヒータ１８，１９と同様に定着装置の定着ローラを加熱する。加熱全幅ヒーター２０は、サーモスタット１７に接続されている。さらに、電力供給回路２２から電力が供給される。このように、例えば商用電源が２２０Ｖで電力的に余裕がある場合には、更なる負荷回路を追加してもよい。なお、図４に示す例においては、接続端子３ａと接続端子３ｂとは電線３００ａ，３００ｂにより接続され、第１ＡＣ入力部１は取り除かれている。
【００６７】
図５は、第２の変更例にかかるＡＣ電力制御回路１０４を示す図である。ＡＣ電力制御回路１０４は、３つのＡＣ入力部１，２，３５を有している。第２ＡＣ入力部２は、主電源スイッチ１１に接続されている。第２ＡＣ入力部２と主電源スイッチ１１の間に第２ＡＣ入力部２と第３ＡＣ入力部３５を接続するための接続端子３６ａが設けられている。
【００６８】
第３ＡＣ入力部３５は、ノイズフィルター５に接続されている。第３ＡＣ入力部３５とノイズフィルター５の間に第２ＡＣ入力部２と第３ＡＣ入力部３５を接続するための接続端子３６ｂが設けられている。
【００６９】
このように、第２ＡＣ入力部２と第３ＡＣ入力部３５とは電線などにより接続することができるので、いずれか一方のみから供給された電力を各負荷回路に供給することができる。さらに、第２ＡＣ入力部２と第３ＡＣ入力部３５それぞれを商用電源に接続する場合には、接続端子３６ａと接続端子３６ｂを接続せず、それぞれのＡＣ入力部から各負荷回路に電力を供給することができる。
【００７０】
なお、商用電源の電力容量に応じて、接続端子３ａと接続端子３ｂとの間を接続し、かつ接続端子３６ａと接続端子３６ｂの間を開放してもよい。接続端子３ａと接続端子３ｂとの間を開放し、かつ接続端子３６ａと接続端子３６ｂの間を接続してもよい。また、両方の回路を接続してもよい。また両方の回路を開放してもよい。このように、各接続部の接続の有無は、利用する商用電源の電圧値などに応じて設定することができる。
【００７１】
本例においては、第１ＡＣ入力部１には、負荷回路として加熱中央ヒーター１８、加熱端部ヒーター１９が接続されている。第２ＡＣ入力部２には、負荷回路として定電圧電源２５と、制御部２６および画像形成動作などを行うＤＣ負荷回路２７が接続されている。第３ＡＣ入力部３５には、負荷回路として除湿ヒーター２８が接続されている。さらに、２連リレー９を介して加圧ヒーター２１、加熱全幅ヒーター２０及びＡＣアウトレット３７が接続されている。なお、アウトレット３７は、周辺機３８に接続されている。
【００７２】
また、第３の変更例としては、ＡＣ電力制御回路１０４は、さらに第２ＡＣ入力部２の電圧を検出するＡＣ電圧検出回路を備えてもよい。この場合には、このＡＣ電圧検出回路による検出結果により電力的に余裕があることがわかった場合には、すべてに定着ヒーターをフル点灯させ定着立ち上がり時間を早くするよう制御してもよい。
【００７３】
図６は、第４の変更例にかかるＡＣ電力制御回路１０６を示す図である。本例にかかるＡＣ電力制御回路１０６は、第１ＡＣ入力部１とノイズフィルター４の間に電圧変換トランス９０をさらに備えている。電圧変換トランス９０は、２００Ｖから１００Ｖに電圧を変換する。これにより、２００Ｖ商用電源を利用する場合には、２００Ｖから１００Ｖに電圧を変換することができる。
【００７４】
（第２の実施の形態）
図７は、第２の実施の形態にかかるＡＣ電力制御回路１１０を示す図である。第１の実施の形態にかかるＡＣ電力制御回路１１０は、接続端子３ａ，３ｂに替えて切替スイッチ３２を備えている。切替スイッチ３２の端子３２ａ，３２ｂは、第１ＡＣ入力部１に接続されている。端子３２ｃ，３２ｄは、第２ＡＣ入力部２に接続されている。端子３２ｅ，３２ｆは、ノイズフィルター４に接続している。
【００７５】
端子３２ａ，３２ｂと端子３２ｅ，３２ｆが接続された場合には、第１ＡＣ入力部１の電力は、ノイズフィルター４などを介して加熱中央ヒーター１８および加熱端部ヒーター１９などに供給される。一方、第２ＡＣ入力部２とノイズフィルター４とは接続されていないので、第２ＡＣ入力部２の電力はノイズフィルター５などを介して加圧ヒーター２１および除湿ヒーター２８などに供給される。
【００７６】
端子３２ｃ，３２ｄと端子３２ｅ，３２ｆが接続された場合には、第１ＡＣ入力部１とノイズフィルター４との間は接続されておらず、第２ＡＣ入力部２とノイズフィルター４との間が接続される。したがって、第２ＡＣ入力部２の電力が、加熱中央ヒーター１８、加熱端部ヒーター１９、加圧ヒーター２１および除湿ヒーター２８に供給される。すなわち、第２ＡＣ入力部２のみからすべての負荷回路に電力が供給される。
【００７７】
このように、第２の実施の形態にかかるＡＣ電力制御回路１１０は、切替スイッチ３２を切り替えることにより、１つのＡＣ入力部からの電力のみを利用する回路として動作することができ、かつ２つのＡＣ入力部からの電力を利用する回路としても動作することができる。したがって、切替スイッチ３２の接続の切り替えを行う簡単な操作のみで、商用電源の電圧値や装置の仕向け地などに応じた電力供給を行うことのできる回路を提供することができる。
【００７８】
なお、第２の実施の形態にかかるＡＣ電力制御回路１１０においても、第２ＡＣ入力部２のみからの電力を利用する回路として動作させる場合には、第１ＡＣ入力部１は取り除くことが望ましい。ただし、仮に第１ＡＣ入力部１が残され、第１ＡＣ電源コードが商用電源に接続された場合であっても、切替スイッチ３２により第２ＡＣ入力部２と接続することはないので、商用電源が短絡することはない。
【００７９】
また、図７に示すように、第２の実施の形態にかかるＡＣ電力制御回路１１０は、開閉回路１２、１３、１４を備えていないが、これらを備える構成としてもよい。なお、第２の実施の形態にかかるＡＣ電力制御回路１１０のこれ以外の構成は、他の実施の形態にかかるＡＣ電力制御回路の構成と同様である。
【００８０】
（第３の実施の形態）
図８は、第３の実施の形態にかかるＡＣ電力制御回路１２０を示す図である。ＡＣ電力制御回路１２０は、ノイズフィルター４の接続先を第１ＡＣ入力部１と第２ＡＣ入力部２で切り替えるリレー３３を有している。リレー３３の端子３３ａ，３３ｂは、第１ＡＣ入力部１に接続されている。端子３３ｃ，３３ｄは、第２ＡＣ入力部２に接続されている。端子３３ｅ，３３ｆは、ノイズフィルター４に接続している。
【００８１】
また、ノイズフィルター５と制御部２６の間にＡＣ電圧検出回路３４が設けられている。ＡＣ電圧検出回路３４は、第２ＡＣ入力部２の電圧を検出する。すなわち、商用電源の電圧を検出する。リレー３３は、検出された電圧にしたがい、第１ＡＣ入力部１および第２ＡＣ入力部２いずれと接続するかを切り替える。なお、本実施の形態にかかるリレー３３は、切替手段および切替制御手段に相当する。
【００８２】
ＡＣ電圧検出回路３４から出力されたアナログ信号は、制御部２６のＣＰＵ２６ａのＡ／Ｄコンバーター２６ｃに入力される。ＣＰＵ２６ａは、Ａ／Ｄコンバーター２６ｃが２２０Ｖまたは１１５Ｖの商用電源を検出すると、端子３３ｃ，３３ｄと端子３３ｅ，３３ｆとを接続するよう切り替える（励磁コイルを通電する）信号をＩ／Ｏポートより出力する。Ａ／Ｄコンバーター２６ｃが１００Ｖの商用電源電圧を検出した場合は、端子３３ａ，３３ｂと端子３３ｅ，３３ｆとを接続するよう切り替える（励磁コイルの通電ＯＦＦ）信号をＩ／Ｏポートより出力する。リレー３３は、この出力にしたがい接続を切り替える。なお、主電源スイッチ１１が投入されたデフォルト（励磁コイルの通電ＯＦＦ）時には、端子３３ａ，３３ｂと端子３３ｅ，３３ｆとが接続されている。
【００８３】
このように、第３の実施の形態にかかるＡＣ電力制御回路１２０は、リレー３３を切り替えることにより、１つのＡＣ入力部からの電力のみを利用する回路として動作することができ、かつ２つのＡＣ入力部からの電力を利用する回路としても動作することができる。したがって、リレー３３の接続の切り替えを行う簡単な操作のみで、商用電源の電圧値や装置の仕向け地などに応じた回路を提供することができる。
【００８４】
さらに、ＡＣ電圧検出回路３４により検出された電圧にしたがい自動的にリレー３３の切替を行うので、装置の設定処理をより簡易にすることができる。
【００８５】
図９は、ＡＣ電圧検出回路３４を示す図である。全波整流回路３４ａによりＤＣ電圧化され、平滑コンデンサＣ１により平滑される。さらに、抵抗Ｒ１とＲ２により電圧が分割され、これらがＡ／Ｄコンバーター２６ｃにおいて検出される。
【００８６】
なお、第３の実施の形態にかかるＡＣ電力制御回路１２０のこれ以外の構成は、他の実施の形態にかかるＡＣ電力制御回路の構成と同様である。
【００８７】
（第４の実施の形態）
図１０は、第４の実施の形態にかかるＡＣ電力制御回路１３０を示す図である。ＡＣ電力制御回路１３０の一部はプリント配線板（以下、ＰＣＢと称する）に形成されている。ＰＣＢ４０は片面基板であり、導箔のパターンは半田面に形成されている。
【００８８】
ＰＣＢ４０は、２つの導体板６４，６５上に形成されている。導体板６４，６５は、図示しないが画像形成装置の筐体に電気的に接続されている。導体板６４，６５は、フレームＧＮＤ（Ｇｒａｕｎｄ）になる。導体板６４，６５は、それぞれ第１導体板および第２導体板に相当する。ＰＣＢ４０は、導体板６４上の第１領域と導体板６５上の第２領域の間に第３領域を有している。導体板６４と導体板６５とは離間して設けられており、第３領域は離間部分に配置されている。第３領域は、第１領域および第２領域に比べて幅狭に形成されている。
【００８９】
また、導体板６４と導体板６５にはそれぞれＦＧ接続線５８を接続するための接続端子６４ａ，６５ａが形成されている。このように、ＦＧ接続線５８を接続することにより、導体板６４と導体板６５においてコモンモードノイズを低減することができる。なお、本実施の形態にかかる接続端子６４ａ，６５ａは、それぞれ第１接続端子および第２接続端子に相当する。
【００９０】
導体板６４には、第１インレット４１が形成されている。第１インレット４１は、電線４２ａ，４２ｂを介してノイズフィルター回路４５に接続している。さらに、第１インレット４１は、アース線４７を介してフレームＧＮＤ５６に接続している。ノイズフィルター回路４５は、ノイズフィルターＧＮＤ６２に接続している。ノイズフィルターＧＮＤ６２は、ＦＧ（Ｆｒａｍｅ  Ｇｒａｕｎｄ）接続線６１に接続している。なお、本実施の形態にかかるアース線４７およびＦＧ接続線６１は、それぞれ第１接続配線および第２接続配線に相当する。
【００９１】
また、導体板６５には、第２インレット６６が形成されている。第２インレット６６は、電線６９ａ，６９ｂを介してノイズフィルター回路４６およびノイズフィルターＧＮＤ６３に接続している。また、第２インレット６６は、アース線５９を介してフレームＧＮＤ５７に接続している。ノイズフィルターＧＮＤ６３は、ＦＧ接続線６０に接続している。なお、ノイズフィルター回路４５，４６は、ＰＣＢ４０上で回路を構成している。なお、本実施の形態にかかるアース線５９およびＦＧ接続線６０は、それぞれ第３接続線および第４接続線に相当する。
【００９２】
以上のように、ＡＣ入力部としてインレット４１，６６を利用しているので、ＡＣ電源コードの着脱を容易に行うことができる。また、１００Ｖ用の電源コードおよび２００Ｖ用の電源コードにおいて、インレット４１，６６の部分は共通である。したがって、電圧に対応する電源コードに変更することにより、容易に商用電源の設備状況に対応することができる。
【００９３】
また、第１インレット４１と第２インレット６６とは、ジャンパー線４３，４４により接続されている。ジャンパー線４３，４４は、部品面で接続している。これにより、第１インレット４１および第２インレット６６のうちいずれか一方のみのインレットからすべての負荷回路への電力供給が可能となる。すなわち、１つのＡＣ入力部のみから電力を供給する回路としてＡＣ電力制御回路１３０を利用することができる。
【００９４】
さらに、ＰＣＢ４０のうち第３領域、すなわち導体板６４，６５の離間部分に相当する領域には切り欠き部６７が形成されている。図１１は、切り欠き部６７の断面図である。このように、２箇所に溝が形成されている。したがって、切り欠き部６７に圧力を加えることにより、容易に切断することができる。なお、切り欠き部６７によりＰＣＢ４０を切断した場合には、ＦＧ接続線５８は取り外す。
【００９５】
このように、切り欠き部６７を切断することにより、第１インレット４１と第２インレット６６の間の接続がなくなるので、各インレット４１，６６から対応する負荷回路へ電力を供給することができる。すなわち、２つのＡＣ入力部を利用する回路としてＡＣ電力制御回路１３０を利用することができる。
【００９６】
さらに、ＰＣＢ４０を切断しない状態で、第１インレット４１に接続された電源コードおよび第２インレット６６に接続された電源コードを介して電力が供給され短絡した場合には、短絡電流により切り欠き部６７が溶断するように、導箔の一部６８を細く形成する。これにより、万一短絡が起きた場合には、早急に切断することができる。これにより、短絡の影響が他の部分に拡大するのを防ぐことができる。
【００９７】
なお、第４の実施の形態にかかるＡＣ電力制御回路１３０のこれ以外の構成は、他の実施の形態にかかるＡＣ電力制御回路の構成と同様である。
【００９８】
（第５の実施の形態）
図１２は、第５の実施の形態にかかるＡＣ電力制御回路１４０を示す図である。第５の実施の形態にかかるＡＣ電源制御回路１４０は、第１インレット４１とノイズフィルター回路４５との間に２つのヘッダー５１，５２が設けられている。さらに、第２インレットとノイズフィルター回路４５の間にヘッダー５０が設けられている。
【００９９】
図１３は、ヘッダー５０〜５２とヘッダー５０〜５２に装着される接続用電線束４９を示す図である。なお、ヘッダー５０〜５２は、それぞれ第１〜第３接続手段に相当する。接続用電線束４９は、ハウジング５３ａ，５３ｂを有している。図１３に示すように、ヘッダー５２とヘッダー５１それぞれにハウジング５３ａ，５３ｂを接続すると、第１インレット４１とノイズフィルター回路４５とが接続され、第１インレット４１に対応する負荷回路には、第１インレット４１からの電力が供給される。さらに、この場合には、ヘッダー５０には、ハウジング５３ａが接続されていないので、第２インレット６６は、対応する負荷回路のみに電力を供給する。
【０１００】
このように、ヘッダー５２とヘッダー５１それぞれにハウジング５３ａ，５３ｂを接続することにより、２つのＡＣ入力部を利用する回路としてＡＣ電力制御回路１４０を利用することができる。
【０１０１】
また、ハウジング５３ａをヘッダー５２に替えてヘッダー５０に接続すると、第１インレット４１とノイズフィルター回路４５とは接続されず、第２インレット６６とノイズフィルター回路４５とが接続される。このように、ヘッダー５０とヘッダー５１それぞれにハウジング５３ａ，５３ｂを接続することにより、１つのＡＣ入力部を利用する回路としてＡＣ電力制御回路１４０を利用することができる。
【０１０２】
なお、第５の実施の形態にかかるＡＣ電力制御回路１４０のこれ以外の構成は、他の実施の形態にかかるＡＣ電力制御回路の構成と同様である。
【０１０３】
（第６の実施の形態）
図１４は、第６の実施の形態にかかるＡＣ電力制御回路１５０を示す図である。第６の実施の形態にかかるＡＣ電源制御回路１５０においては、第１ＡＣ入力部を有する第１ＡＣ電源コード８１は、中継端子台８３の接続丸型端子８４ａ，８４ｂに接続している。さらに、ノイズフィルター８７は、電線８６ａ，８６ｂを介して中継端子台８３の対応する接続平型端子８５ａ，８５ｂに接続している。この構成により、第１電源コード８１よりノイズフィルター８７に電力が供給される。
【０１０４】
また、第２ＡＣ入力部を有する第２ＡＣ電源コード８２は、中継端子台８３の接続丸型端子８４ｃ，８４ｄに接続している。ノイズフィルター８８は、電線８６ｃ，８６ｄを介して中継端子台８３の対応する接続平型端子８５ｃ，８５ｄに接続している。この構成により、第２電源コード８２よりノイズフィルター８８に電力が供給される。以上の構成により、２つの商用電源から電力を供給することができる。
【０１０５】
図１５は、１つの商用電源のみから電力を供給する利用形態の場合のＡＣ電力制御回路１５０を示す図である。図１５に示すように、第１電源コード８１のみを利用する場合には、第２電源コード８２を取り外す。そして、第２電源コード８２が接続されていた接続丸型端子８４ｃ，８４ｄに、接続用電線７０ａ，７０ｂを接続する。さらに、接続用電線７０ａ，７０ｂの他の端部は、それぞれ接続平型端子８５ａ，８５ｂに接続する。これにより、一方のみの電源コードをノイズフィルター８７，８８に接続することができる。
【０１０６】
なお、第６の実施の形態にかかるＡＣ電力制御回路１５０のこれ以外の構成は、他の実施の形態にかかるＡＣ電力制御回路の構成と同様である。
【図面の簡単な説明】
【０１０７】
【図１】ＡＣ電力制御回路１００を示す図である。
【図２】接続端子３ａと接続端子３ｂとが接続された状態を示す図である。
【図３】制御部２６に設けられたＣＰＵ２６ａの動作の詳細を説明するための図である。
【図４】第１の変更例にかかるＡＣ電力制御回路１０２を示す図である。
【図５】第２の変更例にかかるＡＣ電力制御回路１０４を示す図である。
【図６】第４の変更例にかかるＡＣ電力制御回路１０６を示す図である。
【図７】第２の実施の形態にかかるＡＣ電力制御回路１１０を示す図である。
【図８】第３の実施の形態にかかるＡＣ電力制御回路１２０を示す図である。
【図９】ＡＣ電圧検出回路３４を示す図である。
【図１０】第４の実施の形態にかかるＡＣ電力制御回路１３０を示す図である。
【図１１】切り欠き部６７の断面図である。
【図１２】第５の実施の形態にかかるＡＣ電力制御回路１４０を示す図である。
【図１３】ヘッダー５０〜５２とヘッダー５０〜５２に装着される接続用電線束４９を示す図である。
【図１４】第６の実施の形態にかかるＡＣ電力制御回路１５０を示す図である。
【図１５】１つの商用電源のみから電力を供給する利用形態の場合のＡＣ電力制御回路１５０を示す図である。
【符号の説明】
【０１０８】
１，２，３５  ＡＣ入力部
３ａ，３ｂ，３６ａ，３６ｂ  接続端子
４，５，６  ノイズフィルター
７，８  リレー
９  ２連リレー
１０  ノーマルクローズリレー
１１  主電源スイッチ
１２，１３，１４  開閉回路
１５  ドアースイッチ
１６，１７  サーモスタット
１８  加熱中央ヒーター
１９  加熱端部ヒーター
２０  加熱全幅ヒーター
２１  加圧ヒーター
２２，２３  電力供給回路
２４  定着温度検出回路
２５  定電圧電源
２７  ＤＣ負荷回路
２８  除湿ヒーター
２９  サーミスター
３１  ゼロクロス検出回路
３２  切替スイッチ
３３  リレー
３４  ＡＣ電圧検出回路
３７  アウトレット
３８  周辺機
４０  プリント配線板
４１，６６  インレット
４２ａ，４２ｂ  電線
４３，４４  ジャンパー線
４５，４６  ノイズフィルター回路
４７  アース線
４９  接続用電線束
５０〜５２  ヘッダー
５３ａ，５３ｂ  ハウジング
５８  ＦＧ接続線
５９  アース線
６０，６１  ＦＧ接続線
６４，６５  導体板
６７  切り欠き部
６８ａ，６８ｂ  電線
７０ａ，７０ｂ  接続用電線
８１，８２  電源コード
８３  中継端子台
８４ａ〜８４ｄ  接続丸型端子
８５ａ〜８５ｄ  接続平型端子
８６ａ〜８６ｄ  電線
８７，８８  ノイズフィルター
９０  電圧変換トランス
１００，１０２，１０４，１０６，１１０，１２０，１３０，１４０，１５０  ＡＣ電力制御回路
３００ａ，３００ｂ  電線
【図１】
2008070639.tif 000003
【図２】
2008070639.tif 000004
【図３】
2008070639.tif 000005
【図４】
2008070639.tif 000006
【図５】
2008070639.tif 000007
【図６】
2008070639.tif 000008
【図７】
2008070639.tif 000009
【図８】
2008070639.tif 000010
【図９】
2008070639.tif 000011
【図１０】
2008070639.tif 000012
【図１１】
2008070639.tif 000013
【図１２】
2008070639.tif 000014
【図１３】
2008070639.tif 000015
【図１４】
2008070639.tif 000016
【図１５】
2008070639.tif 000017